(57)【特許請求の範囲】
【請求項１】
炭化水素溶剤、鉱油および合成油の中から選ばれる１種または２種以上の基油に対して、
（Ａ）組成物全量基準で０．１〜５．０質量％の下記一般式（１）で表される有機リン酸エステルカルシウム塩、
【化１】
0003601634.tif 000007
（一般式（１）において、Ｒ1 およびＲ2 はそれぞれ個別に炭素数６〜１８のアルキル基を示し、ａおよびｂはそれぞれ個別に１〜６の整数を示す）
（Ｂ）上記（Ａ）成分１重量部に対して０．１〜３．０重量部の水、ならびに
（Ｃ）組成物全量基準で２．０〜３０質量％のカルボン酸類、カルボン酸金属塩、カルボン酸塩類、スルフォン酸金属塩、スルフォン酸塩類、エステル類、アルコール類、アミン類、リン酸誘導体類、亜リン酸誘導体類およびホウ素化合物から選ばれる少なくとも１種のさび止め添加剤を必須成分として配合してなることを特徴とするさび止め剤組成物。
【請求項２】
炭化水素溶剤、鉱油および合成油の中から選ばれる１種または２種以上の基油に対して、
（Ａ）組成物全量基準で０．１〜５．０質量％の下記一般式（１）で表される有機リン酸エステルカルシウム塩、
【化２】
0003601634.tif 000008
（一般式（１）において、Ｒ1 およびＲ2 はそれぞれ個別に炭素数６〜１８のアルキル基を示し、ａおよびｂはそれぞれ個別に１〜６の整数を示す）
（Ｂ）上記（Ａ）成分１重量部に対して０．１〜３．０重量部の水、ならびに（Ｃ）組成物全量基準で２．０〜３０質量％の、下記の（ａ）および（ｂ）から選ばれる１種または２種以上のさび止め添加剤
（ａ）ラノリン脂肪酸エステル
（ｂ）グリセリン、トリメチロールエタン、トリメチロールプロパン、ペンタエリスリトールおよびソルビタンの中から選ばれる１種類以上の多価アルコールと炭素数１０〜２２の脂肪酸の部分エステル
を必須成分として配合してなることを特徴とするさび止め剤組成物。
【発明の詳細な説明】
【０００１】
【発明の属する技術分野】
本発明はさび止め剤組成物に関し、詳しくは安定したさび止め皮膜を形成することにより優れたさび止め性能を有するさび止め剤組成物に関する。
【０００２】
【従来の技術】
さび止め剤は、一般に、炭化水素溶剤、鉱油、合成油または水等を媒体とし、これにワックス等の造膜剤と各種さび止め添加剤を配合することにより製造され、鉄鋼材料や鉄鋼製品の表面を被覆し、さびの発生を防止するために用いられる。
【０００３】
従来からさび止め添加剤については組織的な研究開発が行われ、優れた材料が提供されている。しかし、実際の性能を広い環境変化、使用形態で安定して得るために必要な造膜剤としては、通常、ワックス、ペトロラタム、酸化パラフィン、ラノリン脂肪酸誘導体、炭酸カルシウム分散体といった材料が使用されてきた。
【０００４】
【発明が解決しようとする課題】
しかしながら、これらの造膜剤は有機媒体である炭化水素溶剤、鉱油、合成油に対して十分な溶解度がないため、使用中に成分が一部分離したり、用途に最適な膜厚に調整するのが困難であるという欠点があった。このため、さび止め性能が不足したり、脱脂が十分にできない等の問題が発生し、経済効果が最も高い方法であるにも拘わらず、さび止め剤の使用範囲が限定されていた。
【０００５】
本発明者らは、上記問題点を解決するために広く有機材料を検討した結果、驚くべきことに、従来水溶性の化合物であると考えられていた、特定の構造を有する有機リン酸エステルカルシウム塩に着目し、これに特定量の水を併用することにより、炭化水素溶剤、鉱油、合成油等の有機媒体に対して高い溶解度を持ち、かつ優れた造膜性能を有するさび止め剤用の造膜剤が得られることを見出し、本発明を完成するに至った。
【０００６】
本発明の造膜剤は、有機媒体にその特定量を溶解させることにより優れた造膜性能を有するものであり、種々のさび止め添加剤と併用することにより、様々なさび発生環境に耐えられるさび止め剤組成物を提供することができる。
【０００７】
さらに、さび止め添加剤として特定の構造を有する化合物を選択することにより、そのさび止め性能を一層向上させることが可能である。
【０００８】
【課題を解決するための手段】
本発明は、炭化水素溶剤、鉱油および合成油の中から選ばれる１種または２種以上の基油に対して、
（Ａ）組成物全量基準で０．１〜５．０質量％の下記一般式（１）で表される有機リン酸エステルカルシウム塩、
【０００９】
【化３】
0003601634.tif 000002
【００１０】
（一般式（１）において、Ｒ1 およびＲ2 はそれぞれ個別に炭素数６〜１８のアルキル基を示し、ａおよびｂはそれぞれ個別に１〜６の整数を示す）
（Ｂ）上記（Ａ）成分１重量部に対して０．１〜３．０重量部の水、ならびに
（Ｃ）組成物全量基準で２．０〜３０質量％のカルボン酸類、カルボン酸金属塩、カルボン酸塩類、スルフォン酸金属塩、スルフォン酸塩類、エステル類、アルコール類、アミン類、リン酸誘導体類、亜リン酸誘導体類およびホウ素化合物から選ばれる少なくとも１種のさび止め添加剤を必須成分として配合してなることを特徴とするさび止め剤組成物を提供するものである。
【００１１】
さらに本発明は、炭化水素溶剤、鉱油および合成油の中から選ばれる１種または２種以上の基油に対して、
（Ａ）組成物全量基準で０．１〜５．０質量％の下記一般式（１）で表される有機リン酸エステルカルシウム塩、
【００１２】
【化４】
0003601634.tif 000003
【００１３】
（一般式（１）において、Ｒ１  およびＲ２  はそれぞれ個別に炭素数６〜１８のアルキル基を示し、ａおよびｂはそれぞれ個別に１〜６の整数を示す）
（Ｂ）上記（Ａ）成分１重量部に対して０．１〜３．０重量部の水、
ならびに
（Ｃ）組成物全量基準で２．０〜３０質量％の、下記の（ａ）および（ｂ）から選ばれる１種または２種以上のさび止め添加剤
（ａ）ラノリン脂肪酸エステル
（ｂ）グリセリン、トリメチロールエタン、トリメチロールプロパン、ペンタエリスリトールおよびソルビタンの中から選ばれる１種類以上の多価アルコールと炭素数１０〜２２の脂肪酸の部分エステル
を必須成分として配合してなることを特徴とするさび止め剤組成物を提供するものである。
【００１４】
【発明の実施の形態】
本発明のさび止め剤組成物は、炭化水素溶剤、鉱油および合成油の中から選ばれる１種または２種以上を基油として用いる。
【００１５】
ここでいう炭化水素溶剤は特に限定されるものでなく、通常の炭化水素溶剤として使用されている鉱油系および／または合成系炭化水素溶剤が使用できる。
【００１６】
鉱油系炭化水素溶剤としては、具体的には例えば、原油を常圧蒸留または減圧蒸留して得られた溶剤留分を、水素化精製、硫酸洗浄、白土処理等の精製処理を適宜組み合わせて精製した、パラフィン系、ナフテン系、アロマティック系などの溶剤留分およびこれらの混合物などが使用できる。
【００１７】
また、合成系炭化水素溶剤としては、例えば、パラフィン系、ナフテン系、アロマティック系、オレフィン系合成炭化水素溶剤が使用できる。
【００１８】
ここでいうパラフィン系合成炭化水素溶剤としては、具体的には例えば、プロピレン、ブテンおよびイソブチレンなどのオレフィンを単独で、またはその混合物を重合して得られる低分子量オリゴマーを、さらにその中に含まれる二重結合を水素化して製造される、いわゆる合成イソパラフィンなどが挙げられる。
【００１９】
またナフテン系合成炭化水素溶剤としては、具体的には例えば、α−メチルスチレンの２量体化やベンゼン、トルエン、キシレンのスチレンによるアルキル化により得られるジアリールアルカンをさらに核水素化することにより製造される、いわゆる合成ナフテンなどが挙げられる。
【００２０】
またアロマティック系合成炭化水素溶剤としては、具体的には例えば、プロピレンオリゴマーでベンゼンをアルキル化することによって得られるハード型アルキルベンゼンや、灯油より分離したノルマルパラフィンを脱水素化して得られるノルマルオレフィン、あるいはノルマルパラフィンを塩素化して得られる塩素化パラフィンによってベンゼンをアルキル化して製造されるソフト型アルキルベンゼンなどが挙げられる。
【００２１】
またオレフィン系合成炭化水素溶剤としては、具体的には例えば、エチレン、プロピレン、ブテンおよびイソブチレンなどのオレフィンを単独で、またはその混合物の形で重合することによって製造される低分子量オリゴマーなどが挙げられる。
【００２２】
これらの合成系炭化水素溶剤は単独で使用してもよく、また２種類以上併用してもよい。さらに鉱油系炭化水素溶剤と任意の割合で混合した混合溶剤も使用できる。
【００２３】
また、炭化水素溶剤の他の性状も任意であるが、さび止め剤組成物の引火の危険性防止の点から、通常、２５℃での蒸気圧の上限値は、好ましくは２．０×１０−２ＭＰａ、より好ましくは５．０×１０−３ＭＰａである。一方、２５℃での蒸気圧の下限値は全く制限されないが、さび止め剤組成物を塗布した後の塗布被膜の乾燥性を特に問題とする場合には、２５℃での蒸気圧の下限値は、好ましくは５．０×１０−６ＭＰａ、より好ましくは１．０×１０−４ＭＰａである。
【００２４】
またここでいう鉱油および合成油に関しても、その種類は特に限定されるものではなく、通常、さび止め剤の基油として使用される鉱油や合成油が使用できる。
【００２５】
鉱油としては、例えば、原油を常圧蒸留および減圧蒸留して得られた潤滑油留分を、溶剤脱れき、溶剤抽出、水素化分解、溶剤脱ろう、接触脱ろう、水素化精製、硫酸洗浄、白土処理等の精製処理を適宜組み合わせて精製したパラフィン系、ナフテン系などの油が使用できる。また、合成油としては、例えば、ポリαーオレフィン（ポリブテン、１ーオクテンオリゴマー、１ーデセンオリゴマーなど）、アルキルベンゼン、アルキルナフタレン、ジエステル（ジトリデシルグルタレート、ジ２−エチルヘキシルアジペート、ジイソデシルアジペート、ジトリデシルアジペート、ジ２−エチルヘキシルセバケートなど）、ポリオールエステル（トリメチロールプロパンカプリレート、トリメチロールプロパンペラルゴネート、ペンタエリスリトール２−エチルヘキサノエート、ペンタエリスリトールペラルゴネートなど）、ポリオキシアルキレングリコール、ポリフェニルエーテルなどが使用できる。
【００２６】
これらの鉱油および合成油は単独でも、また２種以上組み合わせて使用してもよい。
【００２７】
また、鉱油および合成油の他の性状も任意であるが、さび止め剤組成物の塗布、除去等の作業性の点から、通常、４０℃での動粘度の上限値は、好ましくは、５００ｍｍ２  ／ｓ、より好ましくは１５０ｍｍ２  ／ｓ、特に好ましくは８０ｍｍ２  ／ｓである。一方、４０℃での動粘度の下限値は全く制限されないが、さび止め剤組成物の膜厚の維持および引火性を特に問題とする場合には、４０℃での動粘度の下限値は、好ましくは０．７ｍｍ２  ／ｓ、より好ましくは２．０ｍｍ２  ／ｓである。
【００２８】
本発明のさび止め剤組成物における（Ａ）成分は、下記の一般式（１）で表される有機リン酸エステルカルシウム塩である。
【００２９】
【化５】
0003601634.tif 000004
【００３０】
一般式（１）において、Ｒ１  およびＲ２  は、それぞれ個別に炭素数６〜１８のアルキル基を示しているが、このアルキル基の炭素数の下限値は６、好ましくは８であり、一方、アルキル基の炭素数の上限値は１８、好ましくは１５である。一般式（１）において、Ｒ１  および／またはＲ２  のアルキル基の炭素数が６未満の場合または１８を超える場合は、ともにさび止め剤組成物の造膜性能が著しく低下するため好ましくない。
【００３１】
ここでいう炭素数６〜１８のアルキル基としては直鎖状でも分枝状でも良く、具体的には、直鎖または分枝のヘキシル基、直鎖または分枝のヘプチル基、直鎖または分枝のオクチル基、直鎖または分枝のノニル基、直鎖または分枝のデシル基、直鎖または分枝のウンデシル基、直鎖または分枝のドデシル基、直鎖または分枝のトリデシル基、直鎖または分枝のテトラデシル基、直鎖または分枝のペンタデシル基、直鎖または分枝のヘキサデシル基、直鎖または分枝のヘプタデシル基、直鎖または分枝のオクタデシル基が例示できる。
【００３２】
これらの中でもＲ１  およびＲ２  としては、それぞれ個別に、炭素数８〜１５の直鎖状または分枝状のアルキル基が好ましく、炭素数８〜１５の分枝状のアルキル基がより好ましい。
【００３３】
一般式（１）において、Ｒ１  およびＲ２  のベンゼン環への置換位置は任意であるが、合成、入手の容易さから、（ポリ）オキシエチレン基に対してパラ位であるのが好ましい。
【００３４】
一般式（１）において、ａおよびｂは、それぞれ個別に１〜６、好ましくは１〜４、より好ましくは１〜３の整数を示している。一般式（１）において、ａおよび／またはｂが６を超える場合は、さび止め剤組成物の基油に対する溶解性が著しく劣るため、好ましくない。
【００３５】
本発明の（Ａ）成分としては、例えば、クローダジャパン社より商品名「ＣＲＯＤＡＸ  ＤＰ−３０１」として販売されている化合物を好ましく用いることができる。
【００３６】
本発明のさび止め剤組成物における（Ｂ）成分は、水である。水としては、硬水であっても軟水であってもよく、従って、水道水、工業用水などだけでなく、イオン交換水、蒸留水などの精製水も任意に使用することができる。
本発明のさび止め剤組成物における（Ｃ）成分は、さび止め添加剤である。
さび止め添加剤としては、通常のさび止め剤に用いられている任意のさび止め添加剤が使用可能である。
【００３７】
ここでいうさび止め添加剤は、一般的に、その分子中にカルボキシル基（−ＣＯＯＨ）、カルボン酸イオン、スルフォン酸イオン、エステル基、アルコール性水酸基、アミノ基、イミノ基、（亜）リン酸性水酸基または（亜）リン酸イオンなどに代表される極性基を有する有機化合物をいう。
【００３８】
本発明の（Ｃ）成分として使用できるさび止め添加剤としては、具体的には、ステアリン酸、ヤシ油脂肪酸等に代表されるモノカルボン酸、アルキルまたはアルケニルコハク酸（無水物を含む）およびその誘導体等に代表されるジカルボン酸、ヒドロキシ脂肪酸、メルカプト脂肪酸、ザルコシン誘導体等に代表される他の極性基含有カルボン酸、酸化ワックスなどのカルボン酸類；
脂肪酸、ナフテン酸、樹脂酸、ラノリン脂肪酸、アルケニルコハク酸、アミノ酸誘導体、酸化ワックス等のカルボン酸の金属塩（Ｃａ塩、Ｂａ塩、Ｍｇ塩、Ａｌ塩、Ｚｎ塩、Ｐｂ塩等）やアミン塩（モノアミン塩、牛脂アミン塩、ポリアミン塩、アルカノールアミン塩等）に代表されるカルボン酸塩類；
石油スルフォン酸、ジノニルナフタレンスルフォン酸、重質アルキルベンゼンスルフォン酸等のスルフォン酸の金属塩（Ｎａ塩、Ｃａ塩、Ｂａ塩、Ｚｎ塩等）やアミン塩（モノアミン塩、ポリアミン塩、ロジンアミン塩、アルカノールアミン塩、モルホリン塩等）に代表されるスルフォン酸塩類；
グリセリン、ペンタエリスリトール、ソルビトール、しょ糖等の多価アルコールとラウリン酸、オレイン酸等のカルボン酸とのエステル（部分エステルを含む）に代表されるエステル類；
高級脂肪族アルコール、アルキルフェノールのエチレンオキシド付加物等に代表されるアルコール類；
ジシクロヘキシルアミン、モルホリン、アルカノールアミン等に代表されるアミン類；
リン酸モノエステル、リン酸ジエステル、亜リン酸エステル、これらのアミン塩などに代表される（亜）リン酸誘導体類；
ホウ素化合物；などが例示される。
【００３９】
しかし本発明に係るさび止め剤組成物においては、よりさび止め性能に優れた組成物が得られる点から、以下の（ａ）〜（ｄ）の中から選ばれる１種または２種以上のさび止め添加剤を用いるのが好ましい。
【００４０】
（ａ）ラノリン脂肪酸エステル
（ｂ）グリセリン、トリメチロールエタン、トリメチロールプロパン、ペンタエリスリトールおよびソルビタンの中から選ばれる１種類以上の多価アルコールと炭素数１０〜２２の脂肪酸の部分エステル
（ｃ）スルフォン酸のアルカリ金属塩、アルカリ土類金属塩またはアミン塩
（ｄ）酸化ワックス金属塩
上記の（ａ）成分は、ラノリン脂肪酸エステルである。
【００４１】
このラノリン脂肪酸エステルとは、羊の毛に付着するろう状物質を精製して得られるラノリン（羊毛脂）にグリセリン、トリメチロールエタン、トリメチロールプロパン、ペンタエリスリトール、ソルビタンなどの多価アルコールを反応させ、ラノリン中に含有される脂肪酸成分の一部または全部をエステル化したものである。
【００４２】
（ａ）成分のケン化価および全酸価は任意である。
【００４３】
しかし、組成物の貯蔵安定性や酸化安定性、水置換性およびさび止め性に優れる点から、ＪＩＳ  Ｋ２５０３に規定するケン化価が、好ましくは１０〜３００ｍｇＫＯＨ／ｇ、より好ましくは５０〜２２０ｍｇＫＯＨ／ｇのものが用いられる。
【００４４】
また、同様の理由から、ＪＩＳ  Ｋ  ２５０１に規定する全酸価が、好ましくは  ０．５〜３０ｍｇＫＯＨ／ｇ、より好ましくは２〜１０ｍｇＫＯＨ／ｇのものが用いられる。
【００４５】
また上記の（ｂ）成分は、グリセリン、トリメチロールエタン、トリメチロールプロパン、ペンタエリスリトールおよびソルビタンの中から選ばれる１種類以上の多価アルコールと炭素数１０〜２２の脂肪酸の部分エステルである。
【００４６】
なおここでいう部分エステルとは多価アルコール中の水酸基の少なくとも１個以上がエステル化されない水酸基の形のままで残っているエステルを意味する。ここでいう脂肪酸としては飽和脂肪酸でも不飽和脂肪酸でもよく、また直鎖状脂肪酸でも分枝状脂肪酸でもよい。
【００４７】
具体的には、直鎖または分枝デカン酸、直鎖または分枝ウンデカン酸、直鎖または分枝ドデカン酸、直鎖または分枝トリデカン酸、直鎖または分枝テトラデカン酸、直鎖または分枝ペンタデカン酸、直鎖または分枝ヘキサデカン酸、直鎖または分枝ヘプタデカン酸、直鎖または分枝オクタデカン酸、直鎖または分枝ノナデカン酸、直鎖または分枝イコサン酸、直鎖または分枝ヘンイコサン酸、直鎖または分枝ドコサン酸（全ての異性体を含む）などの飽和脂肪酸；
直鎖または分枝デセン酸、直鎖または分枝ウンデセン酸、直鎖または分枝ドデセン酸、直鎖または分枝トリデセン酸、直鎖または分枝テトラデセン酸、直鎖または分枝ペンタデセン酸、直鎖または分枝ヘキサデセン酸、直鎖または分枝ヘプタデセン酸、直鎖または分枝オクタデセン酸、直鎖または分枝ノナデセン酸、直鎖または分枝イコセン酸、直鎖または分枝ヘンイコセン酸、直鎖または分枝ドコセン酸（全ての異性体を含む）などの不飽和脂肪酸；およびこれらの混合物などが例示できる。
【００４８】
（ｂ）成分としては、具体的には、
グリセリンモノドデカノエート（グリセリンモノラウレート）、グリセリンモノイソラウレート、グリセリンジドデカノエート（グリセリンジラウレート）、グリセリンジイソラウレート、グリセリンモノテトラデカノエート（グリセリンモノミリステート）、グリセリンモノイソミリステート、グリセリンジテトラデカノエート（グリセリンジミリステート）、グリセリンジイソミリステート、グリセリンモノヘキサデカノエート（グリセリンモノパルミテート）、グリセリンモノイソパルミテート、グリセリンジヘキサデカノエート（グリセリンジパルミテート）、グリセリンジイソパルミテート、グリセリンモノオクタデカノエート（グリセリンモノステアレート）、グリセリンモノイソステアレート、グリセリンジオクタデカノエート（グリセリンジステアレート）、グリセリンジイソステアレート、グリセリンモノオクタデセノエート（グリセリンモノオレエート）、グリセリンモノイソオレエート、グリセリンジオクタデセノエート（グリセリンジオレエート）、グリセリンジイソオレエートなどのグリセリン部分エステル；
【００４９】
トリメチロールエタンモノドデカノエート（トリメチロールエタンモノラウレート）、トリメチロールエタンモノイソラウレート、トリメチロールエタンジドデカノエート（トリメチロールエタンジラウレート）、トリメチロールエタンジイソラウレート、トリメチロールエタンモノテトラデカノエート（トリメチロールエタンモノミリステート）、トリメチロールエタンモノイソミリステート、トリメチロールエタンジテトラデカノエート（トリメチロールエタンジミリステート）、トリメチロールエタンジイソミリステート、トリメチロールエタンモノヘキサデカノエート（トリメチロールエタンモノパルミテート）、トリメチロールエタンモノイソパルミテート、トリメチロールエタンジヘキサデカノエート（トリメチロールエタンジパルミテート）、トリメチロールエタンジイソパルミテート、トリメチロールエタンモノオクタデカノエート（トリメチロールエタンモノステアレート）、トリメチロールエタンモノイソステアレート、トリメチロールエタンジオクタデカノエート（トリメチロールエタンジステアレート）、トリメチロールエタンジイソステアレート、トリメチロールエタンモノオクタデセノエート（トリメチロールエタンモノオレエート）、トリメチロールエタンモノイソオレエート、トリメチロールエタンジオクタデセノエート（トリメチロールエタンジオレエート）、トリメチロールエタンジイソオレエートなどのトリメチロールエタン部分エステル；
【００５０】
トリメチロールプロパンモノドデカノエート（トリメチロールプロパンモノラウレート）、トリメチロールプロパンモノイソラウレート、トリメチロールプロパンジドデカノエート（トリメチロールプロパンジラウレート）、トリメチロールプロパンジイソラウレート、トリメチロールプロパンモノテトラデカノエート（トリメチロールプロパンモノミリステート）、トリメチロールプロパンモノイソミリステート、トリメチロールプロパンジテトラデカノエート（トリメチロールプロパンジミリステート）、トリメチロールプロパンジイソミリステート、トリメチロールプロパンモノヘキサデカノエート（トリメチロールプロパンモノパルミテート）、トリメチロールプロパンモノイソパルミテート、トリメチロールプロパンジヘキサデカノエート（トリメチロールプロパンジパルミテート）、トリメチロールプロパンジイソパルミテート、トリメチロールプロパンモノオクタデカノエート（トリメチロールプロパンモノステアレート）、トリメチロールプロパンモノイソステアレート、トリメチロールプロパンジオクタデカノエート（トリメチロールプロパンジステアレート）、トリメチロールプロパンジイソステアレート、トリメチロールプロパンモノオクタデセノエート（トリメチロールプロパンモノオレエート）、トリメチロールプロパンモノイソオレエート、トリメチロールプロパンジオクタデセノエート（トリメチロールプロパンジオレエート）、トリメチロールプロパンジイソオレエートなどのトリメチロールプロパン部分エステル；
【００５１】
ペンタエリスリトールモノドデカノエート（ペンタエリスリトールモノラウレート）、ペンタエリスリトールモノイソラウレート、ペンタエリスリトールジドデカノエート（ペンタエリスリトールジラウレート）、ペンタエリスリトールジイソラウレート、ペンタエリスリトールトリドデカノエート（ペンタエリスリトールトリラウレート）、ペンタエリスリトールトリイソラウレート、ペンタエリスリトールモノテトラデカノエート（ペンタエリスリトールモノミリステート）、ペンタエリスリトールモノイソミリステート、ペンタエリスリトールジテトラデカノエート（ペンタエリスリトールジミリステート）、ペンタエリスリトールジイソミリステート、ペンタエリスリトールトリテトラデカノエート（ペンタエリスリトールトリミリステート）、ペンタエリスリトールトリイソミリステート、ペンタエリスリトールモノヘキサデカノエート（ペンタエリスリトールモノパルミテート）、ペンタエリスリトールモノイソパルミテート、ペンタエリスリトールジヘキサデカノエート（ペンタエリスリトールジパルミテート）、ペンタエリスリトールジイソパルミテート、ペンタエリスリトールトリヘキサデカノエート（ペンタエリスリトールトリパルミテート）、ペンタエリスリトールトリイソパルミテート、ペンタエリスリトールモノオクタデカノエート（ペンタエリスリトールモノステアレート）、ペンタエリスリトールモノイソステアレート、ペンタエリスリトールジオクタデカノエート（ペンタエリスリトールジステアレート）、ペンタエリスリトールジイソステアレート、ペンタエリスリトールトリオクタデカノエート（ペンタエリスリトールトリステアレート）、ペンタエリスリトールトリイソステアレート、ペンタエリスリトールモノオクタデセノエート（ペンタエリスリトールモノオレエート）、ペンタエリスリトールモノイソオレエート、ペンタエリスリトールジオクタデセノエート（ペンタエリスリトールジオレエート）、ペンタエリスリトールジイソオレエート、ペンタエリスリトールトリオクタデセノエート（ペンタエリスリトールトリオレエート）、ペンタエリスリトールトリイソオレエートなどのペンタエリスリトール部分エステル；
【００５２】
ソルビタンモノドデカノエート（ソルビタンモノラウレート）、ソルビタンモノイソラウレート、ソルビタンジドデカノエート（ソルビタンジラウレート）、ソルビタンジイソラウレート、ソルビタントリドデカノエート（ソルビタントリラウレート）、ソルビタントリイソラウレート、ソルビタンモノテトラデカノエート（ソルビタンモノミリステート）、ソルビタンモノイソミリステート、ソルビタンジテトラデカノエート（ソルビタンジミリステート）、ソルビタンジイソミリステート、ソルビタントリテトラデカノエート（ソルビタントリミリステート）、ソルビタントリイソミリステート、ソルビタンモノヘキサデカノエート（ソルビタンモノパルミテート）、ソルビタンモノイソパルミテート、ソルビタンジヘキサデカノエート（ソルビタンジパルミテート）、ソルビタンジイソパルミテート、ソルビタントリヘキサデカノエート（ソルビタントリパルミテート）、ソルビタントリイソパルミテート、ソルビタンモノオクタデカノエート（ソルビタンモノステアレート）、ソルビタンモノイソステアレート、ソルビタンジオクタデカノエート（ソルビタンジステアレート）、ソルビタンジイソステアレート、ソルビタントリオクタデカノエート（ソルビタントリステアレート）、ソルビタントリイソステアレート、ソルビタンモノオクタデセノエート（ソルビタンモノオレエート）、ソルビタンモノイソオレエート、ソルビタンジオクタデセノエート（ソルビタンジオレエート）、ソルビタンジイソオレエート、ソルビタントリオクタデセノエート（ソルビタントリオレエート）、ソルビタントリイソオレエートなどのソルビタン部分エステル；およびこれらの混合物などが好ましく用いられ、特にモノエステルである。
【００５３】
グリセリンモノドデカノエート（グリセリンモノラウレート）、グリセリンモノイソラウレート、グリセリンモノテトラデカノエート（グリセリンモノミリステート）、グリセリンモノイソミリステート、グリセリンモノヘキサデカノエート（グリセリンモノパルミテート）、グリセリンモノイソパルミテート、グリセリンモノオクタデカノエート（グリセリンモノステアレート）、グリセリンモノイソステアレート、グリセリンモノオクタデセノエート（グリセリンモノオレエート）、グリセリンモノイソオレエート；
【００５４】
トリメチロールエタンモノドデカノエート（トリメチロールエタンモノラウレート）、トリメチロールエタンモノイソラウレート、トリメチロールエタンモノテトラデカノエート（トリメチロールエタンモノミリステート）、トリメチロールエタンモノイソミリステート、トリメチロールエタンモノヘキサデカノエート（トリメチロールエタンモノパルミテート）、トリメチロールエタンモノイソパルミテート、トリメチロールエタンモノオクタデカノエート（トリメチロールエタンモノステアレート）、トリメチロールエタンモノイソステアレート、トリメチロールエタンモノオクタデセノエート（トリメチロールエタンモノオレエート）、トリメチロールエタンモノイソオレエート；
【００５５】
トリメチロールプロパンモノドデカノエート（トリメチロールプロパンモノラウレート）、トリメチロールプロパンモノイソラウレート、トリメチロールプロパンモノテトラデカノエート（トリメチロールプロパンモノミリステート）、トリメチロールプロパンモノイソミリステート、トリメチロールプロパンモノヘキサデカノエート（トリメチロールプロパンモノパルミテート）、トリメチロールプロパンモノイソパルミテート、トリメチロールプロパンモノオクタデカノエート（トリメチロールプロパンモノステアレート）、トリメチロールプロパンモノイソステアレート、トリメチロールプロパンモノオクタデセノエート（トリメチロールプロパンモノオレエート）、トリメチロールプロパンモノイソオレエート；
【００５６】
ペンタエリスリトールモノドデカノエート（ペンタエリスリトールモノラウレート）、ペンタエリスリトールモノイソラウレート、ペンタエリスリトールモノテトラデカノエート（ペンタエリスリトールモノミリステート）、ペンタエリスリトールモノイソミリステート、ペンタエリスリトールモノヘキサデカノエート（ペンタエリスリトールモノパルミテート）、ペンタエリスリトールモノイソパルミテート、ペンタエリスリトールモノオクタデカノエート（ペンタエリスリトールモノステアレート）、ペンタエリスリトールモノイソステアレート、ペンタエリスリトールモノオクタデセノエート（ペンタエリスリトールモノオレエート）、ペンタエリスリトールモノイソオレエート；
【００５７】
ソルビタンモノドデカノエート（ソルビタンモノラウレート）、ソルビタンモノイソラウレート、ソルビタンモノテトラデカノエート（ソルビタンモノミリステート）、ソルビタンモノイソミリステート、ソルビタンモノヘキサデカノエート（ソルビタンモノパルミテート）、ソルビタンモノイソパルミテート、ソルビタンモノオクタデカノエート（ソルビタンモノステアレート）、ソルビタンモノイソステアレート、ソルビタンモノオクタデセノエート（ソルビタンモノオレエート）、ソルビタンモノイソオレエート；およびこれらの混合物などがより好ましく用いられる。
【００５８】
また上記の（ｃ）成分は、スルフォン酸のアルカリ金属塩、アルカリ土類金属塩またはアミン塩である。
【００５９】
アルカリ金属としては具体的にはナトリウムやカリウムなどが挙げられ、アルカリ土類金属としては具体的には、マグネシウム、カルシウム、バリウムなどが挙げられる。またアミンとしてはアンモニア；モノメチルアミン、ジメチルアミン、トリメチルアミン、モノエチルアミン、ジエチルアミン、トリエチルアミン、モノプロピルアミン、ジプロピルアミン、トリプロピルアミンなど、炭素数１〜３のアルキル基を有するアルキルアミン；モノメタノールアミン、ジメタノールアミン、トリメタノールアミン、モノエタノールアミン、ジエタノールアミン、トリエタノールアミン、モノプロパノールアミン、ジプロパノールアミン、トリプロパノールアミンなど、炭素数１〜３のアルカノール基を有するアルカノールアミン；などが挙げられる。
【００６０】
上記（ｃ）成分は特に製造方法を限定するものでなく、任意の方法によって製造されたものが使用可能であるが、具体的には例えば、分子量１００〜１５００、好ましくは２００〜７００のアルキル芳香族化合物をスルフォン化することによって得られるアルキル芳香族スルフォン酸のアルカリ金属塩、アルカリ土類金属塩、アミン塩およびこれらの混合物などが使用できる。
【００６１】
ここでいうアルキル芳香族スルフォン酸としては、一般に鉱油の潤滑油留分のアルキル芳香族化合物をスルフォン化したものやホワイトオイル製造時に副生する、いわゆるマホガニー酸などの石油スルフォン酸や、例えば洗剤の原料となるアルキルベンゼン製造プラントから副生したり、ポリオレフィンをベンゼンにアルキル化することにより得られる、直鎖状や分枝状のアルキル基を有するアルキルベンゼンをスルフォン化したもの、あるいはジノニルナフタレンなどのアルキルナフタレンをスルフォン化したものなどの合成スルフォン酸などが挙げられる。
【００６２】
この（ｃ）成分としては、上記のアルキル芳香族スルフォン酸を直接アルカリ金属塩基（アルカリ金属の酸化物や水酸化物など）、アルカリ土類塩基（アルカリ土類金属の酸化物や水酸化物など）または上述したアミン（アンモニア、アルキルアミンやアルカノールアミンなど）と反応させることにより得られる中性（正塩）スルフォネートや塩基性スルフォネートだけでなく、中性（正塩）スルフォネートを炭酸ガスの存在下でさらに過剰のアルカリ金属塩基やアルカリ土類金属塩基と反応させることによって製造される炭酸塩過塩基化スルフォネートや、中性（正塩）スルフォネートをアルカリ金属塩基やアルカリ土類金属塩基、およびホウ酸または無水ホウ酸などのホウ酸化合物と反応させることによって製造されるホウ酸塩過塩基化スルフォネートなどを用いることができる。
【００６３】
（ｃ）成分のＪＩＳ  Ｋ  ２５０１に規定する過塩素酸法による全塩基価は任意であるが、通常、好ましくは０〜５００ｍｇＫＯＨ／ｇ、より好ましくは０〜４００ｍｇＫＯＨ／ｇの塩基価を有するスルフォン酸塩を用いることができる。
また上記の（ｄ）成分は、酸化ワックス金属塩である。
【００６４】
この酸化ワックス金属塩とは、石油留分の精製の際に得られるパラフィンワックス、マイクロクリスタリンワックス、ペトロラタムや合成により得られるポリオレフィンワックスなどのワックスを酸化することによって製造される酸化ワックスに対して、さらにナトリウム、カリウムなどのアルカリ金属やマグネシウム、カルシウム、バリウムなどのアルカリ土類金属の塩や塩基を反応させ、酸化ワックスが有する酸性基の一部または全部を中和して金属塩としたものであり、本発明においては特に酸化ワックスバリウム塩が好ましく用いられ、酸化パラフィンバリウム塩がより好ましく用いられる。
（ｄ）成分のケン化価、全酸価および金属含有量は任意である。
【００６５】
しかし、組成物の貯蔵安定性や酸化安定性、水置換性およびさび止め性に優れる点から、ＪＩＳ  Ｋ２５０３に規定するケン化価が、好ましくは１０〜１８０ｍｇＫＯＨ／ｇ、より好ましくは５０〜１００ｍｇＫＯＨ／ｇのものが用いられる。
【００６６】
同様の理由から、ＪＩＳ  Ｋ  ２５０１に規定する全酸価が、好ましくは０．５〜５０ｍｇＫＯＨ／ｇ、より好ましくは２〜２０ｍｇＫＯＨ／ｇのものが用いられる。
【００６７】
また同様の理由から、金属含有量が、好ましくは０．５〜１０質量％、より好ましくは１．０〜５．０質量％のものが用いられる。
【００６８】
また、もちろんのことであるが、（Ｃ）成分としては上記（ａ）成分、（ｂ）成分、（ｃ）成分および（ｄ）成分の中から選ばれる２種以上の化合物を任意の割合で混合した混合物も好ましく用いることができる。
【００６９】
さらに本発明に係るさび止め剤組成物においては、さび止め性能に一層優れたさび止め剤組成物を得ることができるという点から、（Ｃ）成分として上記（ａ）成分および（ｂ）成分の中から選ばれる１種または２種以上の化合物を必須の成分として用いるのが特に好ましい。
【００７０】
本発明のさび止め剤組成物は、基油に（Ａ）成分、（Ｂ）成分および（Ｃ）成分をを必須の成分として配合してなるものであるが、各成分の含有量に関して以下の関係を満たすことが重要である。
【００７１】
すなわち、（Ａ）成分の含有量に関しては、さび止め剤組成物全量基準で、その含有量の下限値は０．１質量％、好ましくは０．３質量％であり、一方、その含有量の上限値は５．０質量％、好ましくは３．０質量％であることが必要である。（Ａ）成分の含有量が組成物全量基準で０．１質量％未満の場合は十分な膜厚を得ることが困難であり、一方、５．０質量％を超える場合はさび止め剤組成物がゲル化する恐れがあるため、共に好ましくない。
【００７２】
また、（Ｂ）成分の含有量に関しては、含有量の下限値が（Ａ）成分１重量部に対して０．１重量部、好ましくは０．３重量部であり、一方、その含有量の上限値は、（Ａ）成分１重量部に対して３．０重量部、好ましくは１．０重量部であることが必要である。（Ｂ）成分の含有量が、（Ａ）成分１重量部に対して、０．１重量部未満の場合は基油に対する溶解性に優れた造膜剤が得られず、一方、３．０重量部を超える場合はさび止め剤組成物のさび止め性能が著しく低下するため、共に好ましくない。
【００７３】
また、（Ｃ）成分の含有量に関しては、さび止め剤組成物全量基準で、その含有量の下限値は２．０質量％、好ましくは５．０質量％であり、一方、その含有量の上限値は３０質量％、好ましくは２０質量％であることが必要である。（Ｃ）成分の含有量が組成物全量基準で２．０質量％未満の場合はさび止め剤組成物のさび止め性能が著しく低下し、一方、３０質量％を超える場合は含有量に見合うだけのさび止め性能の向上効果が得られないため、共に好ましくない。
【００７４】
本発明においては上述のように、基油に対して（Ａ）、（Ｂ）および（Ｃ）成分を所定量配合することにより、さび止め性能に優れたさび止め剤組成物を得ることができるが、その各種性能をさらに高める目的で、さび止め剤に一般的に用いられる公知の添加剤を単独で、または数種類組み合わせた形で併用することができる。
【００７５】
これらの添加剤としては、具体的には、
トリクレジルフォスフェートなどのリン酸エステル、豚脂などの油脂、脂肪酸などに代表される潤滑性向上剤；
２，６−ジ−ｔｅｒｔ−ブチル−ｐ−クレゾール、４，４’−メチレンビス（２，６−ジ−ｔｅｒｔ−ブチルフェノール）、４，４’−ビス（２，６−ジ−ｔｅｒｔ−ブチルフェノール）、４，４’−チオビス（６−ｔｅｒｔ−ブチル−ｏ−クレゾール）などに代表される酸化防止剤；
ジエチレングリコールモノアルキルエーテルなどの湿潤剤；
ポリアクリレート、ポリメタクリレート、ポリブテン、パラフィンワックス、マイクロワックス、スラックワックス、ポリオレフィンワックスなどの造膜剤；
脂肪酸アミン塩などの水置換剤；
ジアルキルジチオリン酸亜鉛、硫化油脂、リン化合物などの極圧剤；
グラファイト、フッ化黒鉛、二硫化モリブデン、窒化ホウ素、ポリエチレン粉末などの固体潤滑剤；
アミン、アルカノールアミン、アミド、カルボン酸などの腐食防止剤；
ベンゾトリアゾール、チアジアゾールなどの金属不活性化剤；
メチルシリコーン、フルオロシリコーン、ポリアクリレートなどの消泡剤；などが例示できる。
【００７６】
これら公知の添加剤を併用する場合の含有量は任意であるが、通常、これら公知の添加剤の合計含有量が組成物全量基準で０．１〜１０質量％となるような量を添加するのが望ましい。
【００７７】
本発明に係るさび止め剤組成物は、例えば、鉄、亜鉛、アルミニウムおよびこれらの金属と他の金属との合金など、各種金属のさび止め性能に優れており、これら金属のさび止め性を要求される各種箇所に有効に用いることができる。
【００７８】
【実施例】
以下、本発明の内容を実施例および比較例によりさらに具体的に説明するが、本発明はこれらの内容に何ら限定されるものではない。
【００７９】
実施例１〜８および比較例１〜７
表１に示す組成により、本発明に係るさび止め剤組成物を調製した（実施例１〜８）。
【００８０】
また比較のため、表１に示す組成に従い、（Ａ）成分を含有しない場合（比較例１）、（Ｂ）成分を含有しない場合（比較例２）、（Ｃ）成分を含有しない場合（比較例３）、（Ａ）成分の含有量が多い場合（比較例４）、基油に（Ｃ）成分と本発明の造膜剤以外の造膜剤を配合した場合（比較例５〜７）についても組成物を調製した。
【００８１】
なお、使用した各成分は以下のとおりである。
基油
Ａ：パラフィン系軽質精製鉱油（動粘度６．５ｍｍ２  ／ｓ（  ＠４０℃）  ）
Ｂ：アルキルベンゼン（動粘度７．２ｍｍ２  ／ｓ（＠４０℃）  ）
【００８２】
【化６】
0003601634.tif 000005
【００８３】
（Ｂ）成分
精製水
【００８４】
（Ｃ）成分
Ｅ：ラノリン脂肪酸トリメチロールプロパンエステル
（ケン化価１７０ｍｇＫＯＨ／ｇ、全酸価１５ｍｇＫＯＨ／ｇ）
Ｆ：ソルビタンモノオレエート
Ｇ：炭酸カルシウム過塩基性Ｃａ石油スルフォネート
（全塩基価（  過塩素酸法）  ３００ｍｇＫＯＨ／ｇ）
Ｈ：酸化ワックスＢａ塩
（ケン化価７５ｍｇＫＯＨ／ｇ、全酸価１２ｍｇＫＯＨ／ｇ、Ｂａ含有量３．５質量％）
【００８５】
他の造膜剤
Ｉ：ペトロラタム（融点４８℃）
Ｊ：パラフィンワックス（融点５４℃）
Ｋ：ポリメタクリレート（重量平均分子量１１８０００）
【００８６】
実施例１〜８および比較例１〜７の組成物につき、以下に示す性能評価を行い、その結果を表１に併記した。
【００８７】
［膜厚試験］
ＪＩＳ  Ｋ  ２２４６「さび止め油」の５．１９に規定する「膜厚試験方法」に準拠し、さび止め被覆膜の膜厚を算出した。
【００８８】
［塩水噴霧試験］
ＪＩＳ  Ｋ  ２２４６「さび止め油」の５．３５に規定する「塩水噴霧試験方法」に準じ、ただし規定時間後のさび発生度を測定する代わりに、さび発生度がＢ級になるまでの保持時間を測定した。
【００８９】
［作業性試験］
・低温塗布性
ＪＩＳ  Ｋ  ２２４６「さび止め油」の５．２７に規定する「噴霧性試験方法」に準じ、ただし塗布温度を０℃に変更して試験を行い、塗布による被覆膜の連続性を測定した。なお、評価は以下による。
○：スプレー作業に問題なし、塗布膜は連続している。
△：スプレー作業に問題なし、塗布膜はやや不連続である。
×：スプレー作業に問題あり。
【００９０】
・洗浄性
ＪＩＳ  Ｋ  ２２４６「さび止め油」の５．３．１に規定する試験片Ｂを５．３．２の方法によって調製した試験片を洗浄用灯油５００ｍｌに浸漬し、１分間揺動後の試験片表面の被覆膜残存の有無を測定した。なお、評価は以下による。○：被覆膜の残存なし。
△：被覆膜の一部残存あり。
×：被覆膜の残存あり。
【００９１】
［貯蔵安定性試験］
・室温
試料８０ｍｌを１００ｍｌのスクリュー管に採取し、蓋をした後に２０℃の恒温槽に１月間貯蔵した。１月間貯蔵後の試料について、４０℃動粘度の粘度変化を測定するとともに、相分離・沈殿の有無等を目視で評価した。
・低温
試料８０ｍｌを１００ｍｌスクリュー管に採取し、蓋をした後に０℃の恒温槽に１０日間貯蔵した。１０日間貯蔵後に試料を室温に戻し、その際の試料の相分離・沈殿の有無等を目視で評価した。
【００９２】
表１の性能評価試験の結果に示すとおり、本発明に係るさび止め剤組成物は、比較例の組成物と比べて優れた造膜性能かつさび止め性能を有するものである。また同時に、基油である有機媒体に対して高い溶解度を持ち、塗布作業性や貯蔵安定性にも優れるものである。
【００９３】
【表１】
0003601634.tif 000006